(57)【要約】【課題】部品点数を増やさずにバッテリとグリップ部間のガタツキを抑制することを目的とする。【解決手段】本発明に係る電動工具によると、バッテリにはバッテリ保持部１７に対して嵌合可能な嵌合部が設けられており、バッテリ保持部１７と嵌合部とが嵌合した状態でバッテリがそのバッテリ保持部１７に対して一定方向にスライドする動作により、バッテリとバッテリ保持部１７とが連結される構成であり、バッテリ保持部１７の側壁１７ｚには開口１７ｈが形成されて、その開口１７ｈから被覆材１５０の一部がバッテリ保持部１７の内側に入り込んでおり、バッテリがバッテリ保持部１７に連結された状態で、バッテリ保持部１７の内側に入り込んだ被覆材１５２がバッテリの外壁面を押圧する構成である。【選択図】図３
2010240797.tif 000002
【特許請求の範囲】
【請求項１】
モータが収納される筒状のハウジング本体部と、そのハウジング本体部から半径方向外側に突出形成されて、表面が弾性を有する被覆材で覆われたグリップ部と、そのグリップ部の突出端に設けられたバッテリ保持部と、前記バッテリ保持部に連結されるバッテリとを備える電動工具であって、
前記バッテリには前記バッテリ保持部に対して嵌合可能な嵌合部が設けられており、前記バッテリ保持部と前記嵌合部とが嵌合した状態で前記バッテリがそのバッテリ保持部に対して一定方向にスライドする動作により、前記バッテリと前記バッテリ保持部とが連結される構成であり、
前記バッテリ保持部の側壁には開口が形成されて、その開口から前記被覆材の一部が前記バッテリ保持部の内側に入り込んでおり、
前記バッテリが前記バッテリ保持部に連結された状態で、前記バッテリ保持部の内側に入り込んだ前記被覆材が前記バッテリの外壁面を押圧する構成であることを特徴とする電動工具。
【請求項２】
請求項１に記載された電動工具であって、
前記被覆材は、前記バッテリ保持部に対する前記バッテリのスライド終了位置及びその近傍で前記バッテリの外壁面と接触するように構成されていることを特徴とする電動工具。
【請求項３】
請求項１又は請求項２のいずれかに記載された電動工具であって、
前記バッテリ保持部の内側に入り込んだ被覆材には、そのバッテリ保持部内で開放されている空間、あるいは前記バッテリ保持部内で閉じられている空間が設けられていることを特徴とする電動工具。
【請求項４】
請求項３に記載された電動工具であって、
前記バッテリ保持部内で閉じられている空間は、そのバッテリ保持部の側壁における開口の位置で開放されていることを特徴とする電動工具。
【請求項５】
請求項１から請求項４のいずれかに記載された電動工具であって、
前記バッテリの外壁面に当接する被覆材の当接面は、前記バッテリのスライド方向に対して傾斜する傾斜面となっていることを特徴とする電動工具。
【発明の詳細な説明】
【技術分野】
【０００１】
本発明は、モータが収納される筒状のハウジング本体部と、そのハウジング本体部から半径方向外側に突出形成されて、表面が弾性を有する被覆材で覆われたグリップ部と、そのグリップ部の突出端に設けられたバッテリ保持部と、前記バッテリ保持部に連結されるバッテリとを備える電動工具に関する。
【背景技術】
【０００２】
これに関する電動工具が特許文献１に記載されている。
特許文献１に係る電動工具は、グリップ部に設けられたバッテリ保持部とバッテリとの間のガタツキを抑制するため、前記バッテリ保持部の内側にゴム製のローラが回動可能な状態で装着されている。そして、前記バッテリ保持部にバッテリが連結された状態で、前記ローラがそのバッテリの外壁面に当接し、その外壁面を押圧するようになる。
これにより、グリップ部（バッテリ保持部）とバッテリとの間のガタツキを抑制することができる。
【先行技術文献】
【特許文献】
【０００３】
【特許文献１】特開２００７−１１８０９８号公報
【発明の概要】
【発明が解決しようとする課題】
【０００４】
上記した電動工具では、ゴム製のローラを回動可能な状態でバッテリ保持部の内側に装着する必要があるため、前記ローラを支持する軸や軸受等が必要となり、部品点数が増加する。
【０００５】
本発明は、上記問題点を解決するためになされたものであり、本発明が解決しようとする課題は、部品点数を増やさずにバッテリとグリップ部間のガタツキを抑制することである。
【課題を解決するための手段】
【０００６】
上記した課題は、各請求項の発明によって解決される。
請求項１の発明は、モータが収納される筒状のハウジング本体部と、そのハウジング本体部から半径方向外側に突出形成されて、表面が弾性を有する被覆材で覆われたグリップ部と、そのグリップ部の突出端に設けられたバッテリ保持部と、前記バッテリ保持部に連結されるバッテリとを備える電動工具であって、前記バッテリには前記バッテリ保持部に対して嵌合可能な嵌合部が設けられており、前記バッテリ保持部と前記嵌合部とが嵌合した状態で前記バッテリがそのバッテリ保持部に対して一定方向にスライドする動作により、前記バッテリと前記バッテリ保持部とが連結される構成であり、前記バッテリ保持部の側壁には開口が形成されて、その開口から前記被覆材の一部が前記バッテリ保持部の内側に入り込んでおり、前記バッテリが前記バッテリ保持部に連結された状態で、前記バッテリ保持部の内側に入り込んだ前記被覆材が前記バッテリの外壁面を押圧する構成であることを特徴とする。
【０００７】
本発明によると、バッテリがグリップ部のバッテリ保持部に連結された状態で、弾性を有する被覆材がバッテリの外壁面を押圧するようになる。このため、前記被覆材の働きでバッテリとグリップ部間のガタツキを抑制できる。
また、バッテリ保持部の側壁に開口を形成してグリップ部の表面を覆う被覆材の一部をバッテリ保持部の内側に入り込ませる構成のため、部品点数が増加することがない。
【０００８】
請求項２の発明によると、被覆材は、バッテリ保持部に対するバッテリのスライド終了位置及びその近傍で前記バッテリの外壁面と接触するように構成されていることを特徴とする。
即ち、バッテリのスライド途中では被覆材が前記バッテリに接触しないため、その被覆材によってバッテリのスライド抵抗が大きくならず、バッテリの挿抜性能が悪化しない。
【０００９】
請求項３の発明によると、バッテリ保持部の内側に入り込んだ被覆材には、そのバッテリ保持部内で開放されている空間、あるいは前記バッテリ保持部内で閉じられている空間が設けられていることを特徴とする。
このため、被覆材がさらに変形し易くなり、バッテリのガタツキを効果的に抑えることができる。
請求項４の発明によると、バッテリ保持部内で閉じられている空間は、そのバッテリ保持部の側壁における開口の位置で開放されていることを特徴とする。
【００１０】
請求項５の発明によると、バッテリの外壁面に当接する被覆材の当接面は、前記バッテリのスライド方向に対して傾斜する傾斜面となっていることを特徴とする。
このため、バッテリのスライド過程で被覆材がスライド方向に対してほぼ直角方向に変形するようになり、バッテリのスライド抵抗が徐々に増加するようになる。即ち、被覆材が急激に変形しないため、前記被覆材の耐久性が向上する。
【発明の効果】
【００１１】
本発明によると、部品点数を増やさずにバッテリとハウジング間のガタツキを抑制できる。
【図面の簡単な説明】
【００１２】
【図１】本発明の実施形態１に係る電動工具の全体側面図である。
【図２】電動工具本体を下方から見た平面図（図１のII-II矢視図）である。
【図３】電動工具本体の一部破断側面図（図２のIII-III矢視方向から見た一部破断側面）（Ａ図）、Ａ図のＢ部拡大図である（Ｂ図）。
【図４】バッテリを装着した状態の電動工具本体の一部破断側面図である。
【図５】図４のＶ部拡大図である。
【図６】電動工具本体のバッテリ保持部とバッテリとの嵌合状態を表す模式図（図１、図４のVI-VI矢視模式図）である。
【図７】バッテリの斜視図である。
【図８】変更例に係る電動工具本体の部分側面図（Ａ図）、及びＡ図のB-B矢視図（Ｂ図）である。
【図９】変更例に係る電動工具本体の部分側面図（Ａ図）、及びＡ図のB-B矢視図（Ｂ図）である。
【発明を実施するための形態】
【００１３】
（実施形態１）
以下、図１から図７に基づいて、本発明の実施形態１に係る電動工具の説明を行なう。本実施形態に係る電動工具は、バッテリを備える充電式のドライバドリル（以下、電動工具という）である。
ここで、図中の前後左右及び上下は、電動工具の前後左右及び上下に対応している。
【００１４】
＜電動工具の概要について＞
本実施形態に係る電動工具は、電動工具本体１０とバッテリ３０とから構成されている。
電動工具本体１０のハウジング１１は、図１等に示すように、モータ等を収納する筒状のハウジング本体部１２と、そのハウジング本体部１２の側部（図１等では下部）から突出するように形成されたグリップ部１５とから構成されている。
グリップ部１５は、使用者が電動工具１０を使用する際に把持する部分であり、握り部位１６と、その握り部位１６に対して突出端（下端）側に位置するバッテリ保持部１７とから構成されている。握り部位１６は、使用者が握り易いように比較的小径に形成されており、その握り部位１６の基端部にトリガ形式の主スイッチ１８が設けられている。バッテリ保持部１７は握り部位１６に対して前後方向（主に前方）に拡開するように構成されており、そのバッテリ保持部１７の下面側にバッテリ３０が連結されるように構成されている。
ハウジング１１のグリップ部１５の表面は、作業性向上、及び見栄えの向上等を目的としてゴム製の被覆材１５０（以下、エラストマ１５０という）によって覆われている。
【００１５】
＜バッテリ３０について＞
バッテリ３０は、図７に示すように、複数個の蓄電池（図示省略）を収納する上部開放型のケース本体部３２と、そのケース本体部３２の開口３２ｈを塞ぐ蓋部３４とを備えている。ケース本体部３２と蓋部３４とは平面略角形に形成されており、そのケース本体部３２に対して蓋部３４が周方向に複数箇所でネジ止めされるように構成されている。
前記バッテリ３０の蓋部３４の上面には、その左右両側に電動工具本体１０との連結に使用されるスライドレール３６が前後方向に延びるように形成されている。左右のスライドレール３６は、レール本体部３６ｍと、そのレール本体部３６ｍの上側面から幅方向外側に一定寸法だけ突出する横方向突条部３６ｔとから構成されている。また、左右のスライドレール３６の基端部位置（前端位置）には、ストッパ部３６ｕが形成されている。
蓋部３４の上面前部には、左右のスライドレール３６の間に、電動工具本体１０の板状のターミナル（図示省略）がそれぞれ後方から挿入可能に構成された左右一対の案内スリット３７が前記スライドレール３６と平行に形成されている。そして、左右の案内スリット３７の内部にバッテリ３０の正電極，負電極（図示省略）が設置されている。また、左右の案内スリット３７の間には、開口部３４ｘが形成されており、その開口部３４ｘからバッテリ３０の制御回路の出力コネクタ３３が後方を指向した状態で突出している。
【００１６】
＜バッテリ保持部１７について＞
電動工具本体１０のグリップ部１５に設けられたバッテリ保持部１７は、図６に示すように、バッテリ３０のスライド方向（前後方向）に延びる左右の側壁１７ｋを備えており、それらの側壁１７ｋの互いに対向する内壁面に角溝１７ｍが形成されている。バッテリ保持部１７の角溝１７ｍは、バッテリ３０のスライドレール３６の横方向突条部３６ｔが嵌合する溝であり、バッテリ保持部１７の前端位置から後端位置近傍まで直線状に形成されている。
また、バッテリ保持部１７の後端位置には、図２等に示すように、平面略円弧形の後部側壁１７ｚが形成されており、その後部側壁１７ｚに対して左右の側壁１７ｋが接続されている。即ち、バッテリ保持部１７の後端位置では、後部側壁１７ｚによって左右の側壁１７ｋ間が塞がれている。
上記構成により、バッテリ３０に形成された各スライドレール３６の横方向突条部３６ｔの先端（後端）を電動工具本体１０のバッテリ保持部１７における左右の角溝１７ｍの前端にそれぞれ嵌合させると、その嵌合状態を保持した状態でバッテリ３０を電動工具本体１０に対して後方にスライドさせることが可能になる。そして、バッテリ３０を電動工具本体１０に対する後端限位置までスライドさせることで、バッテリ３０の先端段差Ｔ（後部段差Ｔ  図７参照）がバッテリ保持部１７の後部側壁１７ｚの位置まで到達するようになる。この状態で、バッテリ３０の電極が電動工具本体１０のターミナルに接続されるとともに、バッテリ３０の出力コネクタ３３が電動工具本体１０のコネクタ（図示省略）に接続される。さらに、電動工具本体１０（バッテリ保持部１７）に対するバッテリ３０の抜け止めが図られる。即ち、バッテリ３０を後端限位置までスライドさせることで、電動工具本体１０のバッテリ保持部１７に対してバッテリ３０が連結される。
このように、上記したバッテリ３０のスライドレール３６の横方向突条部３６ｔが本発明のバッテリの嵌合部に相当し、前記後退限位置が本発明のスライド終了位置に相当する。
【００１７】
＜エラストマ１５０について＞
バッテリ保持部１７の後部側壁１７ｚの左右両側には、図３（Ａ）（Ｂ）等に示すように、開口１７ｈが形成されており、各々の開口１７ｈからエラストマ１５０の一部１５２がそのバッテリ保持部１７の内側（下面側）に突出している（図２参照）。エラストマ１５０の一部１５２（以下、突出部分１５２という）は、扁平角形の箱状に形成されており、その箱状の突出部分１５２の開口Ｈが、図３（Ｂ）に示すように、後部側壁１７ｚの開口１７ｈと同位置になるように設定されている。そして、図４、図５に示すように、バッテリ３０が電動工具本体１０に対する後端限位置及びその近傍までスライドした状態で、バッテリ３０の先端段差Ｔ（後部段差Ｔ）及びその近傍がエラストマ１５０の突出部分１５２に下側から当接し、その突出部分１５２を弾性変形させるようになる。即ち、エラストマ１５０の突出部分１５２がバッテリ３０の先端段差Ｔ（後部段差Ｔ）及びその近傍を押圧する。
ここで、グリップ部１５の表面を覆うエラストマ１５０の本体部分及び前記突出部分１５２は、射出成形後のハウジング１１をエラストマ成形型内にインサートした状態で、そのエラストマ成形型内にエラストマ素材を射出することにより一体成形される。
【００１８】
＜本実施形態に係る電動工具の長所について＞
本実施形態に係る電動工具によると、バッテリ３０がグリップ部１５のバッテリ保持部１７に連結された状態で、弾性を有するエラストマ１５０の突出部分１５２がバッテリ３０の外壁面（先端段差Ｔ（後部段差Ｔ）及びその近傍）を押圧する。このため、エラストマ１５０の突出部分１５２の働きでバッテリ３０とグリップ部１５間のガタツキを抑制できる。
また、バッテリ保持部１７の後部側壁１７ｚの開口１７ｈからグリップ部１５の表面を覆うエラストマ１５０の突出部分１５２をバッテリ保持部１７の内側に入り込ませる構成のため、部品点数が増加することがない。
また、エラストマ１５０は、バッテリ保持部１７に対するバッテリ３０のスライド終了位置及びその近傍でそのバッテリ３０の外壁面と接触するように構成されている。即ち、バッテリ３０のスライド途中ではエラストマ１５０がバッテリ３０に接触しないため、そのエラストマ１５０によってバッテリ３０のスライド抵抗が大きくならず、バッテリ３０の挿抜性能が悪化しない。
また、エラストマ１５０の突出部分１５２は、内部空間を有する扁平箱状に成形されており、その内部空間を有する部位がバッテリ保持部１７の開口１７ｈから内側に入り込んでいるため、エラストマ１５０がさらに弾性変形し易くなり、バッテリ３０のガタツキを効果的に抑えることができる。
【００１９】
＜変更例＞
ここで、本発明は上記実施形態に限定されるものではなく、本発明の要旨を逸脱しない範囲における変更が可能である。例えば、本実施形態では、エラストマ１５０の突出部分１５２を扁平箱状に成形する例を示したが、その突出部分１５２においてバッテリ３０の外壁面が当接する当接面をバッテリ３０のスライド方向に対して傾斜した傾斜面とすることも可能である。これにより、バッテリ３０のスライド過程でエラストマ１５０の突出部分１５２がスライド方向に対してほぼ直角方向に変形するようになり、バッテリ３０のスライド抵抗が徐々に増加するようになる。即ち、エラストマ１５０の突出部分１５２が急激に変形しないため、前記突出部分１５２の耐久性が向上する。
また、本実施形態では、エラストマ１５０の突出部分１５２を左右二箇所に形成する例を示したが、左右の突出部分をバッテリ保持部１７の後部側壁１７ｚに沿って連続させることも可能である。
また、本実施形態では、エラストマ１５０の突出部分１５２を扁平箱状に成形して、その箱状の突出部分１５２の開口Ｈを後部側壁１７ｚの開口１７ｈと同位置にする配置する例を示した。即ち、エラストマ１５０の突出部分１５２がバッテリ保持部１７内で閉じられている空間を備え、その空間が後部側壁１７ｚの開口１７ｈの位置で開放されている例を示した。しかし、図８に示すように、エラストマ１５０の突出部分１５２の下面１５２ｄを波形状に形成して、その突出部分１５２にバッテリ保持部１７内で開放されている空間Ｓを設けることも可能である。また、図９に示すように、エラストマ１５０の突出部分１５２の下面に円柱形の突起１５２ｔを形成することで、その突出部分１５２にバッテリ保持部１７内で開放されている空間Ｓを設けることも可能である。
また、本実施形態では、電動工具の一例としてドライバドリルを例示したが、これ以外にも、例えば、インパクトドライバ等、ハウジングにグリップ部が形成された電動工具に本発明を適用することが可能である。
【符号の説明】
【００２０】
１１・・・・ハウジング
１２・・・・ハウジング本体部
１５・・・・グリップ部
１７・・・・バッテリ保持部
１７ｚ・・・後部側壁
１７ｈ・・・開口
３０・・・・バッテリ
３６・・・・スライドレール
３６ｔ・・・横方向突条部（嵌合部）
１５０・・・エラストマ（被覆材）
１５２・・・突出部分（一部）
Ｔ・・・・・先端段差
【図１】
2010240797.tif 000003
【図２】
2010240797.tif 000004
【図３】
2010240797.tif 000005
【図４】
2010240797.tif 000006
【図５】
2010240797.tif 000007
【図６】
2010240797.tif 000008
【図７】
2010240797.tif 000009
【図８】
2010240797.tif 000010
【図９】
2010240797.tif 000011